(57)【特許請求の範囲】
【請求項１】
被写体の撮影を行い被写体画像を表わす画像情報を得て記録するデジタルカメラにおいて、
このデジタルカメラの地理上の位置を検出する位置検出部と、
このデジタルカメラを向けた方向の地理上の方位を検出する方位検出部と、
このカメラの被写体に成り得る地理上のオブジェクトに関する情報であるオブジェクト情報を含む地図情報を記憶しておく情報記憶部と、
前記位置検出部および前記方位検出部で得られた位置情報および方位情報に基づいて、前記情報記憶部に記憶された地図情報から、このカメラにおける現在の被写体になり得るオブジェクトに関するオブジェクト情報を抽出する情報抽出部と、
被写体の撮影により得られた画像情報を、該画像情報が表わす被写体画像に対応するオブジェクト情報に応じて加工する画像加工部と、
前記画像加工部により加工された後の画像と、該画像に対応するオブジェクト情報とを表示する画像表示部と、
前記画像加工部により加工された後の画像の画像情報と、該画像に対応する前記オブジェクト情報とを対応づけて記録する記録部とを備えたことを特徴とするデジタルカメラ。
【請求項２】
被写体の撮影を行い被写体画像を表わす画像情報を得て記録するデジタルカメラにおいて、
このデジタルカメラの地理上の位置を検出する位置検出部と、
このデジタルカメラを向けた方向の地理上の方位を検出する方位検出部と、
このカメラの被写体に成り得る地理上のオブジェクトに関する情報であるオブジェクト情報を含む地図情報を記憶しておく情報記憶部と、
前記位置検出部および前記方位検出部で得られた位置情報および方位情報に基づいて、前記情報記憶部に記憶された地図情報から、このカメラにおける現在の被写体になり得るオブジェクトに関するオブジェクト情報を抽出する情報抽出部と、
被写体の撮影により得られた画像情報に、該画像情報が表わす被写体画像に対応するオブジェクト情報に応じた加工を行うか否かを指示する操作子と、
前記操作子の操作により加工を行うことが指示された画像情報を、該画像情報が表わす被写体画像に対応するオブジェクト情報に応じて加工する画像加工部と、
前記画像加工部により加工された後の画像の画像情報と、該画像に対応するオブジェクト情報とを表示する画像表示部と、
前記操作子により加工を行なうことが指示されたか否かに応じて、それぞれ前記画像加工部により加工された後の画像の画像情報、あるいは加工前の画像の画像情報と、該画像に対応するオブジェクト情報とを対応づけて記録する記憶部とを備えたものであることを特徴とするデジタルカメラ。
【請求項３】
前記画像加工部は、前記オブジェクト情報に応じて、対応する被写体画像の色を加工するものであることを特徴とする請求項１又は２記載のデジタルカメラ。
【請求項４】
被写体の撮影を行い被写体画像を表わす画像情報を得て記録するデジタルカメラにおいて、
このデジタルカメラの地理上の位置を検出する位置検出部と、
このデジタルカメラを向けた方向の地理上の方位を検出する方位検出部と、
このカメラの被写体に成り得る地理上のオブジェクトに関する情報であるオブジェクト情報を含む地図情報を記憶しておく情報記憶部と、
前記位置検出部および前記方位検出部で得られた位置情報および方位情報に基づいて、前記情報記憶部に記憶された地図情報から、このカメラにおける現在の被写体になり得るオブジェクトに関するオブジェクト情報を抽出する情報抽出部と、
前記情報抽出部で抽出されたオブジェクト情報を画像表示する画像表示部と、
被写体の撮影により得られた画像情報に、該画像情報が表わす被写体画像に対応するオブジェクト情報に応じた加工を加えた写真を所望するか否かを指示する操作子と、
被写体の撮影により得られた画像情報と、該画像情報が表わす被写体画像に対応するオブジェクト情報とに加え、さらに前記操作子の操作で指示された、加工を加えた写真を所望するか否かを表わす指示情報とを記録する記録部とを備えたことを特徴とするデジタルカメラ。
【請求項５】
前記操作子は、前記オブジェクト情報に応じて、対応する被写体画像の色を加工するか否かを指示するものであることを特徴とする請求項４記載のデジタルカメラ。
【発明の詳細な説明】
【０００１】
【発明の属する技術分野】
本発明は、被写体の撮影を行い被写体画像を表わす画像情報を得て記録するデジタルカメラに関する。
【０００２】
【従来の技術】
最近では、被写体の写り具合を、撮影記録したその場で確認できるデジタルカメラが広く普及しつつある。
【０００３】
撮影者は、被写体の写り具合をそのつど確認し、納得いくまで撮影記録を繰り返すことによって、あるいは多数撮影記録しておいて後で確認しながら選ぶことによって思い通りの写真を手に入れることができる。
【０００４】
このように、撮影記録により得られた、画像情報を読み出し画像表示できるデジタルカメラは、被写体の写り具合が現像するまで確認することができなかった従来のカメラに比べ便利である。
【０００５】
しかし、このように便利なデジタルカメラをもってしても、名称および概要説明などが不明の被写体を撮影記録する場合には、従来のカメラと同様、それらについて書かれた案内板を探したり、ガイドブックでその被写体についての記述を探したりしなければ、それら被写体に関する情報を得ることができず、場合によっては撮影者が、名称や概要（歴史）を知ることができないまま被写体の撮影記録をとりあえず行なうということも有り得る。
【０００６】
本発明は、上記事情に鑑み、撮影記録しようとしている被写体に関する情報を画像表示する、ガイド機能付のデジタルカメラを提供することを目的とする。
【０００７】
【課題を解決するための手段】
上記目的を達成するための本発明のデジタルカメラは、
被写体の撮影を行い被写体画像を表わす画像情報を得て記録するデジタルカメラにおいて、
このデジタルカメラの地理上の位置を検出する位置検出部と、
このデジタルカメラを向けた方向の地理上の方位を検出する方位検出部と、
このカメラの被写体に成り得る地理上のオブジェクトに関する情報であるオブジェクト情報を含む地図情報を記憶しておく情報記憶部と、
上記位置検出部および上記方位検出部で得られた位置情報および方位情報に基づいて、記情報記憶部に記憶された地図情報から、このカメラにおける現在の被写体になり得るオブジェクトに関するオブジェクト情報を抽出する情報抽出部と、
上記情報抽出部で抽出されたオブジェクト情報を画像表示する画像表示部とを備えたことを特徴とする。
【０００８】
本発明のデジタルカメラは、上記構成により、デジタルカメラの地理上の位置、およびデジタルカメラのレンズが向いている方向の地理上の方位を検出し、その時点におけるこのカメラの被写体に成り得る地理上の対象物（例えば歴史的な建造物や有名な風景など）であるオブジェクトに関するオブジェクト情報を抽出して画像表示する。このため、撮影者は、被写体になり得るオブジェクトの情報を得ることができる。
【０００９】
ここで、上記画像表示部は、被写体の撮影により得られた画像情報が表わす被写体画像と、上記情報抽出部で抽出された、この被写体画像に対応するオブジェクト情報とを組み合わせて画像表示するものであることが好ましい。
【００１０】
このように、本発明のデジタルカメラにおいて、被写体画像と、この被写体画像に対応して抽出されたオブジェクト情報とを組み合わせて画像表示すると、撮影者は、被写体画像を目視しながら、この被写体画像に対応するオブジェクト情報、すなわち、今撮影したのはどのようなオブジェクトかを知ることができる。
【００１１】
さらに、本発明のデジタルカメラは、被写体の撮影により得られた画像情報と、この画像情報が表わす被写体画像に対応するオブジェクト情報とを対応づけて記録媒体に記録する記録部を備えたものであることが好ましい。
【００１２】
本発明のデジタルカメラにおいて、被写体画像を表わす画像情報と、この被写体画像に対応して抽出されたオブジェクト情報とを対応づけて記録しておくことにより、オブジェクト情報が表示された写真、例えば図６に示すように「東京タワー」という文字が入った東京タワーの写真を得ることができる。
【００１３】
また、被写体の撮影により得られた画像情報を、この画像情報が表わす被写体画像に対応するオブジェクト情報に応じて加工する画像加工部を備え、
上記記録部は、上記画像加工部により加工された後の画像情報を記録するものであってもよい。
【００１４】
本発明のデジタルカメラにおいて、被写体画像を表わす画像情報を、この被写体画像に対応するオブジェクト情報に応じて加工し記録部に記録しておくと、例えば歴史的な建造物を写したときはセピア色の写真を得ることができ、有名な湖を写したときは湖面の青さを鮮明に写し出した写真を得ることができるなど、その被写体（オブジェクト）に応じて最適に加工された写真を特に意識することなく入手することができる。
【００１５】
さらに、被写体の撮影により得られた画像情報に、この画像情報が表わす被写体画像に対応するオブジェクト情報に応じた加工を行うか否かを指示する操作子と、
上記操作子の操作により加工を行うことが指示された画像情報を、この画像情報が表わす被写体画像に対応するオブジェクト情報に応じて加工する画像加工部とを備え、
上記記録部は、上記操作子により加工を行なうことが指示されたか否かに応じて、それぞれ画像加工部により加工された後の画像情報、あるいは加工前の画像情報を記録するものであってもよい。
【００１６】
このように、加工するかしないかを撮影者の意思で決めることができるようにしてもよい。
【００１７】
また、被写体の撮影により得られた画像情報に、この画像情報が表わす被写体画像に対応するオブジェクト情報に応じた加工を加えた写真を所望するか否かを指示する操作子を備え、
上記記録部は、被写体の撮影により得られた画像情報と、この画像情報が表わす被写体画像に対応するオブジェクト情報とに加え、さらに上記操作子の操作で指示された、加工を加えた写真を所望するか否かを表わす指示情報とを記録するものであってもよい。
【００１８】
このように画像情報自体に加工を加えるのではなく、加工された写真を所望するか否かという撮影者の意図を別途記録することにしてもよい。こうすることにより、本発明のデジタルカメラ内に画像情報の加工処理を行う機能を備えることなく、撮影者の意思に応じた写真を手に入れることができる。
【００１９】
【発明の実施の形態】
以下、本発明の実施形態について説明する。
【００２０】
ここでは先ず、本発明の第１の実施形態について説明する。
【００２１】
図１は、本発明の第１の実施形態であるデジタルカメラ１の、上面図（図１（ａ））および背面図（図１（ｂ））である。
【００２２】
図１（ａ）には、撮影用のレンズ２、液晶パネル３、操作部２７が示されている。
【００２３】
このデジタルカメラ１の操作部２７には、カーソルキー４、モードダイヤル８、オブジェクトデータ表示ボタン５、およびシャッタボタン７が備えられており、現在選択されているモードを指し示す矢印１０も印刷されている。
【００２４】
このデジタルカメラ１では、後述する、３つの撮影モードおよび再生モードのうちのいずれかを選択することができる。
【００２５】
このモード選択には、モードダイヤル８が使用される。モードダイヤル８の上面には、デジタルカメラ１において選択可能な３つの撮影モードおよび再生モードを意味する、英文字および記号が印刷されている。モードの選択は、このダイヤル上面の、英文字および記号を矢印１０にあわせることによって行なわれる。
【００２６】
３つの撮影モードとは、オートモード、マニュアルモード、およびプログラムモードのことである。
【００２７】
オートモードは、被写体の撮影環境の設定がすべて自動的に設定されるモードであり、モードダイヤル８上では”Ａ”で示されている。
【００２８】
マニュアルモードは、被写体の撮影環境の設定がすべて撮影者により設定されるモードであり、モードダイヤル８上では”Ｍ”で示されている。
【００２９】
プログラムモードは、詳しくは後述するが、本発明の一実施形態が実施されるモードであり、モードダイヤル８上では”Ｐ”で示されている。ただし、被写体の撮影に関しては環境設定はオートモードと同様すべて自動的に設定される。
【００３０】
さらに再生モードは、すでに撮影記録済の画像データを基に被写体画像を再生表示するモードであり、モードダイヤル８上では”☆”で示されている。
【００３１】
シャッタボタン７は、撮影を行うときに押されるボタンであり、このシャッタボタン７が押されると、被写体の画像データ、および被写体のオブジェクトデータが後述する記録メディア１９に記録される。
【００３２】
カーソルキー４は、各モードにおけるメニュの選択等に使用される。
【００３３】
液晶パネル３には、リアルタイムに送られてくる、被写体の撮影により得られる画像データが表わす被写体画像と、現在このカメラに写っているオブジェクトのオブジェクトデータとが組み合わされて表示される。オブジェクトの例としては、東京タワー、富士山、琵琶湖などが挙げられる。このオブジェクトデータは、オブジェクトの外観、オブジェクト名、およびオブジェクトの概要説明で構成されている。
【００３４】
図１（ｂ）には、操作部２７の背面に備えられた、被写体の構図決定のために使用されるファインダ９の接眼窓およびオブジェクトデータ表示ボタン５が示されている。
【００３５】
オブジェクトデータ表示ボタン５を押すと、詳しくは後述するが、液晶パネル３には被写体のオブジェクトデータが画像表示される。
【００３６】
図２は、図１に示すデジタルカメラ１の機能ブロック図である。
【００３７】
図２には、ＣＰＵ１８、ＲＡＭ１６、およびＲＯＭ１７が示されている。
【００３８】
ＲＡＭ１６は、ＣＰＵ１８で実行されるプログラムの作業領域として使用される。
【００３９】
ＲＯＭ１７には、デジタルカメラ１全体の制御を行うためのプログラムの他、後述する、デジタルカメラ１の被写体に成り得るオブジェクトに関する情報であるオブジェクトデータを含む地図データが記憶されている。
【００４０】
ＣＰＵ１８は、ＲＯＭ１７に格納された各種プログラムを読み出してこのデジタルカメラ１全体の制御を行う。
【００４１】
尚、ＣＰＵ１８およびＲＯＭ１７が、本発明にいう情報抽出部の役割を担っている。この、ＣＰＵ１８およびＲＯＭ１７による情報抽出部は、後述する、位置検出部２２および方位検出部２３でそれぞれリアルタイムに得られる位置データおよび方位データに基づいて、現在被写体として写っているオブジェクトに関するオブジェクトデータをリアルタイムに抽出する。
【００４２】
図２には、上記の他、デジタルカメラ１の地理上の位置を検出する位置検出部２２、およびデジタルカメラ１を向けた方向の地理上の方位を検出する方位検出部２３が示されている。
【００４３】
さらに、図２には、操作部２７、液晶パネル３、撮影部２１および記録メディア１９が示されている。
【００４４】
操作部２７には、前述したように、モードダイヤル８、カーソルキー４、オブジェクトデータ表示ボタン５、シャッタボタン７が備えられており、ここで生成された信号はＣＰＵ１８に送信される。
【００４５】
撮影部２１は、被写体の撮影を行い、この被写体の撮影により得られる信号を画像データに変換しＣＰＵ１８に送る。
【００４６】
シャッタボタン７が押されると、記録メディア１９には、上記撮影部２１から送られてくる画像データと、上記情報抽出部で検出されるオブジェクトデータとが対応づけられて記録される。
【００４７】
ここで、デジタルカメラ１の図示しない電源スイッチがオンされると、操作部２７からは、現在選択されているモードを表わす信号がＣＰＵ１８に送信される。
【００４８】
以下、第１の実施形態のデジタルカメラ１において、プログラムモードが選択されている場合について説明する。
【００４９】
ＣＰＵ１８は、オブジェクトデータ表示ボタン５からのボタン押下を表わす信号の送信がない限り、被写体のオブジェクトデータのうちのオブジェクト名のみを被写体の画像データと組み合わせて液晶パネル３に送る。尚、オブジェクトデータの検出ができなかった場合は、画像データのみを液晶パネル３に送る。
【００５０】
図３は、ＣＰＵ１８からリアルタイムに送られてくるオブジェクト名と画像データとを組み合わせたデータを基に液晶パネル３に表示される画像の一例を示す図である。
【００５１】
この図３に示されている画像には、ある構図で捉えられている被写体の一部（この例では、東京タワーの脚部付近）と、方位データに基づく方位マークと、オブジェクトデータのうちのオブジェクト名とが画像表示されている。尚、この実施形態では方位マークが画像表示されているが、この方位マークは必ずしも表示されなくてもよい。
【００５２】
図４は、オブジェクトデータ表示ボタン５が押された時、液晶パネル３において画像表示される画像の一例を示す図である。
【００５３】
図４に示す画像は、オブジェクトの外観、オブジェクト名、およびオブジェクトの概要説明で構成されている。
【００５４】
図１（ｂ）に示すオブジェクトデータ表示ボタン５が押されると、ＣＰＵ１８は、オブジェクトデータのみからなる画像を液晶パネル３に送る。したがって、液晶パネル３には、オブジェクトデータ表示ボタン５が押されている間、図３に示されるような画像に代えて、図４に示されるようなオブジェクトデータのみの画像が表示される。
【００５５】
前述したように、シャッタボタン７が押されることにより、画像データおよびオブジェクトデータの記録メディア１９に対する記録指示を表わす信号がＣＰＵ１８に送信される。ＣＰＵ１８は、このシャッタボタン７からのボタン押下の信号を受けて、この時点で液晶パネル３に表示されている画像に対応する、画像データとオブジェクトデータとを互いに対応付けて記録メディア１９に記録する。
【００５６】
図５は、図２に示すデジタルカメラ１の動作の順序を示したフローチャートである。
【００５７】
前述したように、デジタルカメラ１の電源スイッチがオンされると、ステップ１＿１において、現在選択されているモードがプログラムモードであるか否かが判定される。現在選択されているモードがプログラムモード以外のモードであると判定されたときは、他のモードによる処理が行なわれる。他のモードによる処理については説明は省略する。
【００５８】
ステップ１＿１において、現在選択されているモードがプログラムモードであると判定されたときはステップ１＿２に進み、位置データおよび方位データの検出が行なわれ、その後、ステップ１＿３に進む。
【００５９】
ステップ１＿３では、位置データおよび方位データにより被写体のオブジェクトデータを検出することができたか否かが判定される。
【００６０】
ステップ１＿３において、オブジェクトデータを検出することができなかったと判定されたときは、ステップ１＿５において画像データのみを画像表示しステップ１＿８に進む。
【００６１】
一方、ステップ１＿３において、オブジェクトデータを検出することができたと判定されたときはステップ１＿４進む。
【００６２】
ステップ１＿４では、オブジェクトデータ表示ボタン５が押されているか否か、すなわちオブジェクトデータを画像表示するか否かが判定される。
【００６３】
ステップ１＿４おいて、オブジェクトデータ表示ボタン５が押されているとき、すなわちオブジェクトデータを画像表示すると判定されたときはステップ１＿７に進み、図３に示されるような被写体の撮影画像を含む画像に代えて図４に示されるようなオブジェクトデータのみの画像が液晶パネル３に表示される。
【００６４】
その後は、ステップ１＿１に戻り、オブジェクトデータ表示ボタン５が押されている間、すなわちオブジェクトデータを画像表示すると判定されている間、ＣＰＵ１８からリアルタイムで送られてくるオブジェクトデータのみが液晶パネル３に画像表示される。
【００６５】
ステップ１＿４において、オブジェクトデータ表示ボタン５が押されていないとき、すなわちオブジェクトデータを画像表示しないと判定されたときは、ステップ１＿６において画像データとオブジェクトデータとを組み合わせて画像表示し、ステップ１＿８に進む。
【００６６】
ステップ１＿８において、シャッタボタン７が押されているとき、すなわちデータを記録すると判定されたときは、画像データとオブジェクトデータとが対応付けられて記録メディア１９に記録され、その後、ステップ１＿１に戻る。
【００６７】
一方、ステップ１＿８において、シャッタボタン７が押されずにいるとき、すなわちデータを記録しないと判定されたときもステップ１＿１に戻り、選択されるモードがプログラムモード以外になるか、電源スイッチがオフになるまで上述したステップを繰り返す。
【００６８】
以上のようにして、本発明の第１の実施形態であるデジタルカメラ１は、液晶パネル３に被写体のオブジェクトデータを画像表示することができる。また、被写体の画像データが表わす被写体画像と、被写体のオブジェクトデータとを組み合わせて液晶パネル３に表示することができる。さらに、第１の実施形態のデジタルカメラ１は、被写体の画像データと、そのオブジェクトデータとを対応付けて記録メディア１９に記録することができる。これにより、画像データと、それに対応するオブジェクトデータとを一緒に読み出すことができ、これらのデータを基に図６に示すような写真を得ることができる。
【００６９】
図６は、図３で表示されている画像がプリントされた写真の一例を示す図である。
【００７０】
この写真には被写体画像がプリントされている他、写真の欄外には被写体のオブジェクト名、および撮影日もプリントされている。このように上記のデジタルカメラ１によれば、プリントされる時にこの被写体のオブジェクト名を自動的に写真の欄外に印字することができ、従来のように人手によりオブジェクト名を写真の欄外に書きこむ手間が省ける。
【００７１】
図７は、オブジェクトデータ表示ボタン５を押した時、液晶パネル３に表示される画像の他の一例を示す図である。
【００７２】
図７には、図４に示されているオブジェクトデータのうちの外観に代えて、リアルタイムの被写体画像が、オブジェクト名およびオブジェクトの概要説明と組み合わされて表示されている。
【００７３】
オブジェクトデータ表示ボタン５を押した時、図４に示すようなオブジェクトの外観をあらわす絵を含む画像の代わりに、図７に示すような撮影画像を含む画像を表示してもよい。
【００７４】
また、なるべく多くの被写体の画像データを記録メディア１９に記録するため、被写体のオブジェクトデータが、画像表示はされるものの、記録メディア１９には記録されないものであってもよい。
【００７５】
次に、本発明の第２の実施形態であるデジタルカメラ１１について説明する。
【００７６】
この第２実施形態のデジタルカメラ１１の外観は、前述した第１実施形態のデジタルカメラ１と同じであるため、外観図を用いた説明は省略する。
【００７７】
このデジタルカメラ１１の機能ブロック図も図２と同じであるため省略する。
【００７８】
尚、デジタルカメラ１１の、ＣＰＵ１８およびＲＡＭ１６が、本発明にいう画像加工部の役割を担っている。
【００７９】
このデジタルカメラ１１においても、プログラムモードが選択されているとして説明する。
【００８０】
このデジタルカメラ１１では、詳細は後述するが、画像データに対し、オブジェクトデータに対応した加工を行って記録するか、加工を行わずに記録するかを選択することができる。その選択のために、この実施形態ではカーソルキー４が操作子として使用される。
【００８１】
図８は、オブジェクトデータに応じていかなる加工をその画像データに行うかが記述された加工テーブルを示す図である。
【００８２】
このデジタルカメラ１１のＲＯＭ１７には、図８に示すような、オブジェクトデータに応じていかなる加工を画像データに行うかを示す加工テーブルが記憶されている。
【００８３】
この加工テーブルの左欄にはオブジェクトの分類が記述されており、右欄には分類されたオブジェクトそれぞれに対応した、画像データに対する加工内容が記述されている。
【００８４】
ここで、前述したようにカーソルキー４の操作により、オブジェクトデータに応じた加工を画像データに行うか否かを表わす信号が、操作部２７のカーソルキー４からＣＰＵ１８に送信される。その信号の内容が加工の実行を表わす場合、ＣＰＵ１８およびＲＡＭ１６による画像加工部では、検出したオブジェクトデータと上記加工テーブルとの照合が行なわれ、対応する画像データに加工が行なわれる。
【００８５】
この加工された画像データも、オブジェクトデータのオブジェクト名と組み合わされて、ＣＰＵ１８から液晶パネル３に送られて表示される。
【００８６】
一方、その信号の内容が加工の不実行を表わす場合は、ＣＰＵ１８では、加工されていない画像データにオブジェクトデータのオブジェクト名が組み合わされて、ＣＰＵ１８から液晶パネル３に送られて表示される。
【００８７】
図９は、第２実施形態のデジタルカメラ１１の動作の順序を示したフローチャートである。
【００８８】
デジタルカメラ１１の電源スイッチがオンされると、ステップ２＿１において、現在選択されている撮影モードがプログラムモードであるか否かが判定される。現在選択されている撮影モードがプログラムモード以外であると判定されたときは、他のモードにおける処理が行なわれる。
【００８９】
ステップ２＿１において、現在選択されている撮影モードがプログラムモードであると判定されたときはステップ２＿２に進み、位置データおよび方位データの検出が行なわれ、その後、ステップ２＿３に進む。
【００９０】
ステップ２＿３では、これら上記データによってオブジェクトデータが検出できたか否かが判定される。
【００９１】
ステップ２＿３において、オブジェクトデータが検出されなかったと判定されたときは、ステップ２＿５において画像データのみを画像表示しステップ２＿１０に進む。
【００９２】
ステップ２＿３において、オブジェクトデータが検出されたと判定されたときはステップ２＿４に進む。
【００９３】
ステップ２＿４では、オブジェクトデータ表示ボタン５が押されているか否か、すなわちオブジェクトデータを画像表示するか否かが判定される。
【００９４】
ステップ２＿４において、オブジェクトデータ表示ボタン５が押されているとき、すなわちオブジェクトデータを画像表示すると判定されたときはステップ２＿６に進み、図３に示されるような被写体の撮影画像を含む画像に代えて図４に示されるようなオブジェクトデータのみの画像が液晶パネル３に表示される。
【００９５】
その後は、ステップ２＿１に戻り、オブジェクトデータ表示ボタン５が押されている間、すなわちオブジェクトデータを画像表示すると判定されている間、第１実施形態のデジタルカメラ１と同様にＣＰＵ１８からリアルタイムで送られてくるオブジェクトデータが液晶パネル３に画像表示される。
【００９６】
ステップ２＿４において、オブジェクトデータ表示ボタン５が押されていないとき、すなわちオブジェクトデータを画像表示しないと判定されたときはステップ２＿７に進み、画像データにオブジェクトデータに応じた加工を行うか否かが判定される。
【００９７】
ステップ２＿７において、前述したカーソルキー４による指示が加工の実施を表わす場合、すなわち画像データにオブジェクトデータに応じた加工を行うと判定されたときは、ステップ２＿８において、オブジェクトデータに応じた加工が画像データに行なわれた後、ステップ２＿９に進む。
【００９８】
ステップ２＿７において、前述したカーソルキー４による指示が加工の不実施を表わす場合、すなわち画像データにオブジェクトデータに応じた加工を行なわないと判定されたときはステップ２＿９に進む。ステップ２＿９において、加工が行なわれた画像データ、あるいは加工が行なわれていない画像データにオブジェクトデータが組み合わされて画像表示される。その後、記録メディア１９に記録するか否かのステップ２＿１０に進む。
【００９９】
ステップ２＿１０において、シャッタボタン７が押されているとき、すなわちデータを記録すると判定されたときは、画像データとオブジェクトデータとが対応づけられて記録メディア１９に記録される。ただし、ステップ２＿３において、オブジェクトデータが検出されていなければ、画像データのみが記録され、ステップ２＿７において、画像データが加工されていなければ、加工前の画像データとオブジェクトデータとが対応付けられて記録される。ステップ２＿７において、画像データが加工されていれば、加工後の画像データとオブジェクトデータとが対応付けられて記録される。
【０１００】
その後は、ステップ２＿１に戻り、撮影モードがプログラムモード以外のモードになるか、電源スイッチがオフになるまで上述したステップを循環する。
【０１０１】
ステップ２＿１０において、シャッタボタン７が押されずにいるとき、すなわちデータを記録しないと判定されたときもまた、ステップ２＿１に戻り、撮影モードがプログラムモード以外の他のモードになるか、電源スイッチがオフになるまで上述したステップを繰り返す。
【０１０２】
この第２の実施形態であるデジタルカメラ１１では、液晶パネル３に被写体のオブジェクトデータを液晶パネルに画像表示することができ、カーソルキー４を操作子として使用し、被写体のオブジェクトデータに対応した加工内容があらかじめ設定されている加工テーブルに記述されている加工内容を、画像データに対し実施するか否かを選択することができる。さらに、カーソルキー４の操作により、画像データに対する加工の実施が指示されたときは、加工後の画像データとそのオブジェクトデータとを対応付けて、また画像データに対する加工の実施が指示されなかったときは、加工前の画像データとそのオブジェクトデータとを対応付けて記録メディア１９に記録することができる。
【０１０３】
これにより、第２の実施形態であるデジタルカメラ１１では、カーソルキー４の操作により、例えば歴史的な建造物を写したときはセピア色の写真を得ることができ、有名な湖を写したときは湖面の青さを鮮明にした写真を作ることができるなど、その被写体（オブジェクト）に応じて最適に加工された写真を入手することができる。
【０１０４】
また、このデジタルカメラ１１においても、オブジェクトデータ表示ボタン５を押すことにより、図４に示されるような画像が、図３に示される画像に代えて液晶パネル３に表示されるとしたが、第１の実施形態で説明したように図７に示すような画像を表示してもよい。
【０１０５】
さらに、被写体の種類に応じた加工処理を自動的に行いたい場合、加工テーブルに記述されている、オブジェクトデータに応じた加工が画像データ加工部により常に画像データに対し実施されるものであってもよい。
【０１０６】
次に、本発明の第３の実施形態であるデジタルカメラ１１１について説明する。
【０１０７】
この第３実施形態のデジタルカメラ１１１においても、プログラムモードが選択されているとして説明する。
【０１０８】
このデジタルカメラ１１１の外観は、デジタルカメラ１と同じであるため、外観図を用いた説明は省略する。
【０１０９】
また、デジタルカメラ１１１の機能ブロック図は、図２と同じ図になるため、図２を参照しながら説明する。
【０１１０】
前述した第２の実施形態のデジタルカメラ１１は、直接に画像データを加工するものであるのに対し、ここで説明する第３の実施形態のデジタルカメラ１１１は、加工を加えるか否かを表わす指示データを記録するものである。また、加工を所望するか否かの選択のためにカーソルキー４が操作子として使用される。
【０１１１】
オブジェクトデータに応じた加工を画像データに加えた写真を所望するか否かは、カーソルキー４の操作により決定され、その決定内容を表わす信号がＣＰＵ１８に送信される。この決定内容が加工写真を所望するものである場合、ＲＡＭ１６には、オブジェクトデータに対応した加工を画像データに対して行うことを指示する指示データが、リアルタイムに液晶パネル３で表示されている画像に対応する、画像データとオブジェクトデータに対応して作成される。
【０１１２】
次に、ＣＰＵ１８は、シャッタボタン７の押下信号を受け取ると、この時点で液晶パネル３で表示されている画像に対応する、画像データとオブジェクトデータとを互いに対応付け、さらに上記指示データを付け加えて記録メディア１９に記録する。尚、カーソルキー４の操作により決定された決定内容が加工を所望するものでない場合、この指示データは作成されない。
【０１１３】
図１０は、デジタルカメラ１１１の動作の流れを示したフローチャートである。
【０１１４】
図１０のステップ３＿７までの説明が、図５のステップ１＿７までの説明と同じ内容となるため省略する。
【０１１５】
以下、図１０のステップ３＿８から話を進める。
【０１１６】
ステップ３＿８で、前述したカーソルキー４による決定が加工写真の所望であるとき、すなわち被写体の画像データにオブジェクトデータに応じた加工を加えた写真を所望すると判定されたときは、ステップ３＿９において加工写真の所望を表わす指示データが作成される。
【０１１７】
ステップ３＿８において、カーソルキー４による決定が加工写真の不所望である場合、すなわちそのオブジェクトデータに応じた加工を加えた写真を所望しないと判定されたとき、データを記録するか否かのステップ３＿１０に進む。
【０１１８】
ステップ３＿１０において、シャッタボタン７が押されているとき、すなわちデータを記録すると判定された場合は、被写体の画像データおよびその被写体のオブジェクトデータとに加え、上記指示データがこれらに対応付けられて記録メディア１９に記録される。ただし、ステップ３＿３において、オブジェクトデータが検出されていなければ画像データのみが記録され、ステップ３＿８において、加工を加えた写真を所望していなければ画像データとオブジェクトデータとの双方のみが対応付けられて記録される。ステップ３＿８において、加工を加えた写真を所望していれば、画像データとオブジェクトデータとに加え指示データが対応付けられて記録メディア１９に記録される。
【０１１９】
その後は、ステップ３＿１に戻り、モードがプログラムモード以外のモードになるか、電源スイッチがオフになるまで上述したステップを繰り返す。
【０１２０】
ステップ３＿１０において、シャッタボタン７が押されずにいるとき、すなわち記録しないと判定された場合もまたステップ３＿１に戻り、モードがプログラムモード以外のモードになるか、電源スイッチがオフになるまで上述したステップを繰り返す。
【０１２１】
以上のように、本発明の第３の実施形態であるデジタルカメラ１１１では、液晶パネル３に被写体のオブジェクトデータを画像表示することができ、カーソルキー４を操作子として使用し、オブジェクトデータに応じた加工を画像データに加えた写真を所望するか否かを表わす指示データを、画像データおよびオブジェクトデータに付け加えて記録メディア１９に記録することができる。
【０１２２】
したがって、オブジェクトデータに応じた、画像データに対する加工内容を含む加工テーブルと加工機能を備えるプリンターなどを使用することにより、本発明のデジタルカメラ内に画像データの加工処理を行う機能を備えることなく、撮影者の意思に応じた写真を手に入れることができる。
【０１２３】
このデジタルカメラ１１１においても、オブジェクトデータ表示ボタン５を押すことにより、図４に示されるような画像が図３に示される画像に代えて液晶パネル３に表示されるが、図７に示すような画像を表示してもよい。
【０１２４】
また、オブジェクトデータに応じた加工を画像データに加えた写真を所望しない場合は、そのことを表わす指示データを作成しないが、これを作成するものであってもよい。
【０１２５】
以上の３つの実施形態において、価格を廉価に抑えるため、本発明でいう画像表示部は、少なくとも被写体のオブジェクトデータの文字が確認できるような表示装置であればよい。尚、この場合、画像の確認はファインダ９を使用して行うこととなる。
【０１２６】
また、以上の３つの実施形態において、位置検出部２２および方位検出部２３をデジタルカメラに内蔵しているが、これらをデジタルカメラ外部から接続しデータを得るものであってもよい。
【０１２７】
【発明の効果】
以上説明したように、本発明のデジタルカメラによれば、観光地などで知らない建物があっても、簡単にその建物の名称や概要説明を知ることができ、写真をプリントする時に自動的に名称を印刷することができる。さらに、被写体のオブジェクトデータに応じた加工が行なわれた写真を手に入れることができる。
【図面の簡単な説明】
【図１】デジタルカメラの、上面図および背面図である。
【図２】デジタルカメラの機能ブロック図である。
【図３】液晶パネルに画像表示される画像の一例を示す図である。
【図４】液晶パネルに画像表示される画像の一例を示す図である
【図５】動作の流れを示すフローチャートである。
【図６】画像がプリントされた写真の一例を示す図である。
【図７】液晶パネルに画像表示される画像の一例を示す図である。
【図８】加工テーブルを示す図である。
【図９】動作の流れを示すフローチャートである。
【図１０】動作の流れを示すフローチャートである。
【符号の説明】
１  デジタルカメラ
２  レンズ
３  液晶パネル
４  カーソルキー
５  オブジェクトデータ表示ボタン
７  シャッタボタン
８  モードダイヤル
９  ファインダ
１０  矢印
１１  デジタルカメラ
１６  ＲＡＭ
１７  ＲＯＭ
１８  ＣＰＵ
１９  記録メディア
２１  撮影部
２２  位置検出部
２３  方位検出部
２７  操作部
１１１  デジタルカメラ
【図１】
0004213874.tif 000002
【図２】
0004213874.tif 000003
【図３】
0004213874.tif 000004
【図４】
0004213874.tif 000005
【図５】
0004213874.tif 000006
【図６】
0004213874.tif 000007
【図７】
0004213874.tif 000008
【図８】
0004213874.tif 000009
【図９】
0004213874.tif 000010
【図１０】
0004213874.tif 000011